(57)【要約】【課題】風力エネルギ設備に対してかかる荷重を最小限にしながら、その風力エネルギ設備を可能な限り最適に安定化することが可能な、風力エネルギ設備の運転方法又は風力エネルギ設備を提供する。【解決手段】風によって駆動可能なロータ１８と、少なくとも１つのロータブレード２２と、ロータ１８の機械エネルギを電気エネルギに変換する発電機と、ロータ１８が取り付けられるタワー１４、とを有する風力エネルギ設備の運転方法であって、風力エネルギ設備１０を張り綱支持するために、張り綱装置２４が、非被応力状態又は少なくとも低被応力状態から、風力エネルギ設備１０を安定化させる被応力状態又は少なくとも高被応力状態へと、必要に応じて自動的に状態変化される。【選択図】図１
2008014297.tif 000002
【特許請求の範囲】
【請求項１】
風によって駆動可能なロータ（１８）と、少なくとも１つのロータブレード（２２）と、前記ロータ（１８）の機械エネルギを電気エネルギに変換する発電機と、前記ロータ（１８）が取り付けられるタワー（１４）、とを有する風力エネルギ設備の運転方法であって、
前記風力エネルギ設備（１０）を張り綱支持するために、張り綱装置（２４）が、非被応力状態又は少なくとも低被応力状態から、前記風力エネルギ設備（１０）を安定化させる被応力状態又は少なくとも高被応力状態へと、必要に応じて自動的に状態変化されることを特徴とする風力エネルギ設備の運転方法。
【請求項２】
前記張り綱装置（２４）は、現在の風条件および／又は特にストーム突風等の将来予期される風条件に応じて、および／又は、現在の地面移動および／又は予想される地面運動、特に地震、に応じて、前記非被応力状態又は前記低被応力状態から、前記被応力状態又は前記高被応力状態へと状態変化される請求項１に記載の風力エネルギ設備の運転方法。
【請求項３】
前記張り綱装置（２４）は、風条件および／又は地面移動を特徴付ける特徴値が所定の限界値を超えた時に、前記非被応力状態又は前記低被応力状態から、前記被応力状態又は前記高被応力状態へと状態変化される請求項１又は２に記載の風力エネルギ設備の運転方法。
【請求項４】
前記張り綱装置（２４）は、所定時間経過後、および／又は、現在の風条件および／又は将来予期される風条件に応じて、および／又は、現在の地面移動および／又は予想される地面運動に応じて、前記非被応力状態又は前記低被応力状態に戻される請求項１〜３の何れか一項に記載の風力エネルギ設備の運転方法。
【請求項５】
前記風力エネルギ設備（１０）の設置場所および／又は風力エネルギ設備の物理的近傍での風条件および／又は地面移動は、適当なセンサ、特に前記風力エネルギ設備（１０）の風を受ける側に設けられた適当なセンサによって記録されるか、および／又は、
前記風条件を、前記風力エネルギ設備（１０）の運転パラメータである前記ロータ（１８）の回転速度やロータブレード（２２）の風入射角から導かれる、請求項１〜４の何れか一項に記載の風力エネルギ設備の運転方法。
【請求項６】
前記張り綱装置（２４）は、風および／又は地面移動を予想する機関から、直接的又は間接的に、前記風力エネルギ設備（１０）に連動する制御装置へ送信される起動信号に応じて、前記非被応力状態又は前記低被応力状態から、前記被応力状態又は前記高被応力状態へと状態変化される、請求項１〜５の何れか一項に記載の風力エネルギ設備の運転方法。
【請求項７】
前記風力エネルギ設備（１０）の前記ロータ（１８）は、前記張り綱装置（２４）が非被応力状態又は前記低被応力状態から、前記被応力状態又は前記高被応力状態に状態変化される前に、前記ロータブレード（２２）に対する風の入射角の適当な変動、および／又は、機械的ロータブレーキの作動、によって制動される、請求項１〜６の何れか一項に記載の風力エネルギ設備の運転方法。
【請求項８】
風によって駆動可能なロータ（１８）と、少なくとも１つのロータブレード（２２）と、前記ロータ（１８）の機械エネルギを電気エネルギに変換する発電機と、前記ロータ（１８）が取り付けられるタワー（１４）、とを有する風力エネルギ設備であって、
制御可能にテンショニング状態にすることが可能なテンショニング手段（２６，２８）を備え、非被応力状態又は少なくとも低被応力状態から、前記風力エネルギ設備（１０）を安定化させる被応力状態又は少なくとも高被応力状態へと、必要に応じて自動的に状態変化可能な張り綱装置（２４）を有することを特徴とする風力エネルギ設備。
【請求項９】
前記張り綱装置（２４）は、現在記録されている、および／又は、将来予想される風条件および／又は地面移動に応じて、開ループ/閉ループ制御装置によって制御される請求項８に記載の風力エネルギ設備。
【請求項１０】
ケーブル・チェーン等から構成される前記テンショニング手段（２６，２８）は、その一端部において、前記風力エネルギ設備（１０）のタワー（１４）および／又はナセル（１６）に接続されている請求項８又は９に記載の風力エネルギ設備。
【請求項１１】
前記テンショニング手段（２６，２８）は、タワー（１４）および／又はナセル（１６）の反対側の端部において、地中に、直接的又は間接的に、固定又は固定可能である請求項８〜１０の何れか一項に記載の風力エネルギ設備。
【請求項１２】
前記張り綱装置（２４）は、それによって前記テンショニング手段（２６，２８）を被応力状態にすることが可能なモータ、特に電気モータ・油圧又は空気圧モータを備える請求項８〜１１の何れか一項に記載の風力エネルギ設備。
【発明の詳細な説明】
【技術分野】
【０００１】
本発明は、風によって駆動可能なロータと、少なくとも１つのロータブレードと、前記ロータの機械エネルギを電気エネルギに変換する発電機と、前記ロータが取り付けられるタワー、とを有する風力エネルギ設備の運転方法に関する。本発明は、又、この方法を使用して運転される風力エネルギ設備にも関する。
【背景技術】
【０００２】
風力エネルギ設備は、強風時に特に高い荷重を受ける。風力エネルギ設備は、極限状態において、所謂、一世紀に一度の突風に対応する風速に耐えるように一般に設計されている。
【０００３】
しかしながら、ヨーロッパにおいてさえ、一世紀に一度の突風を超えるような風速の極端な風条件が益々頻発している。更に、たとえば、米国やオーストラリアでは、サイクロンなどが発生する可能性のある風力エネルギ設備設置場所が存在する。サイクロンは、一世紀に一度の突風から生じる荷重を遥かに超える風に依存する力を、風力エネルギ設備に対して作用させる可能性がある。
【０００４】
外部からの影響、特に風に対して建築物を安定化させるための張り綱（guy）が知られている。この場合、安定化させるべき建築物から延出する複数のケーブル・チェーン等が張設され、地面に固定される。しかし、風力エネルギ設備用にこのような張り綱を恒久的に使用することはかなり不利である。その理由は、風力エネルギ設備は動荷重を受けるからである。安定化手段としての張り綱が設けられることにより、特に、風力エネルギ設備に対する動荷重の結果として、風力エネルギ設備に侵入する力によって、風力エネルギ設備のそれらの力が侵入するポイント又は領域での疲労の問題が生じる。
【発明の開示】
【発明が解決しようとする課題】
【０００５】
従って、本発明の１つの課題は、そのような安定化手段によって風力エネルギ設備に対してかかる荷重を最小限にしながら、その風力エネルギ設備を可能な限り最適に安定化することが可能な、風力エネルギ設備の運転方法又は安定化方法、を提供することにある。
本発明のもう一つの課題は、この方法を使用して運転することが可能な風力エネルギ設備を提供することにある。
【課題を解決するための手段】
【０００６】
本発明の課題は、以下に説明する風力エネルギ設備の運転方法によって達成される。
上記目的を達成するための本発明に係る風力エネルギ設備の運転方法は、風によって駆動可能なロータと、少なくとも１つのロータブレードと、前記ロータの機械エネルギを電気エネルギに変換する発電機と、前記ロータが取り付けられるタワー、とを有する風力エネルギ設備の運転方法であって、その第一特徴構成は、
前記風力エネルギ設備を張り綱支持するために、張り綱装置が、非被応力状態（unstressed）又は少なくとも低被応力状態（less-stressed）から、前記風力エネルギ設備を安定化させる被応力状態（stressed）又は少なくとも高被応力状態（more-stressed）へと、必要に応じて自動的に状態変化される点にある。
【０００７】
尚、以下の説明において、単純化のために、「被応力状態」又は「非被応力状態」という表現のみを使用する。これらの状態に関して以下のテキストにおいて記載される本発明の特徴構成は、特に銘記されることなく、前記張り綱装置の「低被応力状態」から「高被応力状態」への上述した変化にも関するものと理解される。
【０００８】
本構成によれば、風力エネルギ設備が必要な時にのみ張り綱支持（guyed）状態になることにある。即ち、張り綱装置は、非被応力状態から被応力状態へと自動的に状態変化するため、例えば現在の風条件から、風力エネルギ設備の安定化が必要とされる時にのみ起動される。張り綱装置は、非起動時は非被応力状態とされ、それにより、風力エネルギ設備に荷重を与える張り綱に依存する力が、風力エネルギ設備に導入されることがない。これにより、張り綱によって荷重を受ける風力エネルギ設備の構成要素に対する疲労が効果的に低減される。
【０００９】
本発明に係る風力エネルギ設備の運転方法の第二特徴構成は、前記張り綱装置は、好ましくは、現在の風条件および／又は特にストーム突風などの将来予期される風条件に応じて、および／又は、現在の地面移動および／又は予想される地面運動に応じて、非被応力状態から被応力状態へと状態変化される点にある。
【００１０】
本構成によれば、張り綱装置は、風条件又はその他の外的影響によってそれが必要とされる時に風力エネルギ設備を安定化させるべく、被応力状態となる。
【００１１】
もしも、例えば、予想システムによって風力エネルギ設備が損傷を受ける可能性のある高い風速などを有するストーム突風が予想される時、張り綱装置を被応力状態にすることができる。風力エネルギ設備を揺動させる、現在測定される地面の移動又は地震、あるいはそのような事象が予想される時等、追加的に張り綱支持することが有用であると思われる場合も、類似の状況が発生する。
【００１２】
本発明に係る風力エネルギ設備の運転方法の第三特徴構成は、前記張り綱装置は、風条件および／又は地面移動を特徴付ける特徴値が所定の限界値を超えた時に、前記非被応力状態から被応力状態へと状態変化される点にある。
【００１３】
本構成によれば、限界値を設定することにより、張り網装置が、非被応力状態から被応力状態へ状態変化する際の閾値を規定することができる。そのため、風力エネルギ設備の設置場所に応じて、適切なタイミングで非被応力状態から被応力状態への状態変化を行うことができる。
【００１４】
本発明に係る風力エネルギ設備の運転方法の第四特徴構成は、前記張り綱装置は、所定時間の経過後、および／又は、現在の風条件および／又は予想される風条件、および／又は、現在の地面移動、および／又は予想される地面移動、に応じて、非被応力状態に戻される点にある。
【００１５】
本構成によれば、風条件および／又は地面移動がそれを許容する時に、前記非被応力状態に戻される。具体的には、風力エネルギ設備に対してそれ以上の荷重が予想されない時、又は、現在測定されていない時、風力エネルギ設備を張り綱によって発生する荷重から開放するべく、逆の状態変化を開始することができる。
【００１６】
本発明に係る風力エネルギ設備の運転方法の第五特徴構成は、風力エネルギ設備の設置場所および／又は風力エネルギ設備の物理的近傍での風条件および／又は地面移動を、適当なセンサ、特に、風力エネルギ設備の風を受ける側に設けられた適当なセンサによって記録されるか、および／又は、風条件を風力エネルギ設備の運転パラメータであるロータの回転速度やロータブレードの風入射角から導く点にある。
【００１７】
本構成によれば、このようにして測定された風条件および／又は地面移動に応じて、張り綱装置を、非被応力状態から被応力状態へと適切に状態変化させることができる。
【００１８】
本発明に係る風力エネルギ設備の運転方法の第六特徴構成は、前記張り綱装置は、風および／又は地面移動を予想する機関から、直接的又は間接的に、前記風力エネルギ設備に連動する制御装置へ送信される起動信号に応じて、前記非被応力状態又は前記低被応力状態から、前記被応力状態又は前記高被応力状態へと状態変化される点にある。
【００１９】
本構成によれば、例えば、重大なストームおよび／又は地震が予想する機関によって一旦予想された場合、張り綱装置を被応力状態にする、即ち、非被応力状態から被応力状態に状態変化させることができる。
この場合、前記予想をした機関は、適当な信号発生装置から、風力エネルギ設備用の制御装置に、例えば無線信号などの電磁信号やインターネットなどを介して送信することが可能な起動信号を送信する。その後、当該制御装置は、この起動信号に応じて、張り綱装置への応力付与を開始することができる。
【００２０】
本発明に係る風力エネルギ設備の運転方法の第七特徴構成は、前記風力エネルギ設備の前記ロータは、前記張り綱装置が非被応力状態から被応力状態に状態変化される前に、前記ロータブレードに対する風の入射角の適当な変動、および／又は、ロータブレーキの作動、によって制動される点にある。
【００２１】
本構成によれば、張り綱装置が被応力状態となる前にロータブレードが制動されるので、張り綱装置をテンショニング状態にする手段を、なんら障害無く、ロータブレードの回転から生じる当該手段とロータブレードとの間の衝突を未然に防止できる状態で、被応力状態にすることができる。これにより、特に、被応力状態において風力エネルギ設備のタワーの高い位置から斜め下方に延出するケーブルが、回転するロータブレードに衝突すること無しに、当該手段を取り付けることが可能となる。
【００２２】
本発明の課題は、以下に説明する風力エネルギ設備によっても達成される。
上記目的を達成するための本発明に係る風力エネルギ設備は、風によって駆動可能なロータと、少なくとも１つのロータブレードと、前記ロータの機械エネルギを電気エネルギに変換する発電機と、前記ロータが取り付けられるタワー、とを有する風力エネルギ設備であって、その第一特徴構成は、制御可能にテンショニング状態にすることが可能なテンショニング手段を備え、非被応力状態又は少なくとも低被応力状態から、前記風力エネルギ設備を安定化させる被応力状態又は少なくとも高被応力状態へと、必要に応じて自動的に状態変化可能な張り綱装置を有する点にある。
【００２３】
本構成によれば、風力エネルギ設備が必要な時にのみ、テンショニング手段により張り綱支持状態になることにある。即ち、張り綱装置は、非被応力状態から被応力状態へと自動的に状態変化するため、例えば現在の風条件から、風力エネルギ設備の安定化が必要とされる時にのみ起動される。
張り綱装置は、非起動時は非被応力状態とされ、このとき、風力エネルギ設備に荷重を与える張り綱に依存する力が、風力エネルギ設備に導入されることがない。これにより、張り綱によって荷重を受ける風力エネルギ設備の構成要素に対する疲労が効果的に低減される。
【００２４】
本発明に係る風力エネルギ設備の第二特徴構成は、前記張り綱装置は、現在記録されている、および／又は、将来予想される、風条件および／又は地面移動、に応じて、開ループ/閉ループ制御装置によって制御することができる点にある。
【００２５】
本構成によれば、開ループ/閉ループ制御装置によって制御される張り綱装置によって、テンショニング手段は、前記風条件および／又は地面移動の結果として必要な時に、被応力状態とされる。
【００２６】
本発明に係る風力エネルギ設備の第三特徴構成は、前記テンショニング手段は、例えば、その一端部において風力エネルギ設備のタワー、および／又はナセル（nacelle）に接続されたケーブル・チェーン等から構成できる点にある。
【００２７】
本構成によれば、テンショニング手段を簡便に構成できる。
【００２８】
本発明に係る風力エネルギ設備の第四特徴構成は、前記テンショニング手段は、タワーおよび／又はナセルの反対側の端部において、地中に、直接的又は間接的に、固定することができる点にある。
この実施例において、テンショニング手段は、風力エネルギ設備から、この風力エネルギ設備の周囲に設けられた各固定点へと斜め下方に延出する。
【００２９】
本構成によれば、テンショニング手段を確実に地中に固定することができる。
【００３０】
本発明に係る風力エネルギ設備の第五特徴構成は、前記張り綱装置は、それによって該テンショニング手段を被応力状態にすることが可能な、モータ、特に電気モータ・油圧又は空気圧モータを備える点にある。
【００３１】
本構成によれば、モータによってテンショニング手段を自動的に被応力状態にすることができる。
【発明を実施するための最良の形態】
【００３２】
本発明のその他の特徴構成は、好適実施例に関する下記の説明を、貼付の図面を参照して読むことによって明らかになるであろう。この図面において、図１は、張り綱装置を備える、本発明による風力エネルギ設備の略側面図である。
【００３３】
図１は、風力エネルギ設備１０を図示している。この風力エネルギ設備１０は、垂直タワー１４の上端部に配設されたナセル（nacelle）１６を備えている。タワー１４は、水平地面１２上に配置されている。
尚、風力エネルギ設備１０用のタワー１４としては当業者に知られているように様々なものが可能である。本発明は、勿論、この図面に図示された円錐台形状のタワー１４に限定されるものではない。
【００３４】
ナセル１６の風に面する端部にはロータ１８が設けられ、これはハブ２０を備えている。このハブ２０には三枚のロータブレード２２が接続され、これらロータブレード２２の根元２３がハブ２０に形成された適当な開口部に挿入され、それに対して公知の方法で接続されている。
【００３５】
ロータ１８は、水平方向に対して僅かに上方に傾斜した軸心回りで回転する。風が前記ロータブレード２２に当たるやいなや、ロータ１８はロータブレード２２とともに、前記軸心回りで回転される。ロータ軸の運動は、ナセル１６内に設けられた発電機によって電気エネルギに変換される。ロータブレード２２は、その回転中、円形状の軌跡を描く。風に対するロータブレード２２の位置は、図示はされていないが当業者には知られている調節装置によってそれぞれ独立に変えることができる。即ち、ロータブレード２２の風に対する入射角は調節可能である。風力エネルギ設備１０の様々な機能は、図示されていない適当な制御装置によって制御可能である。
【００３６】
風力エネルギ設備１０は、電気グリッドシステムに接続され、このシステムに、前記発電機によって生み出された電気エネルギを供給することができる。
【００３７】
少なくとも１つのほぼ水平方向の回転軸心を備える前記風力エネルギ設備１０の基本構造は公知であるので、ここではその詳細な説明は省略する。
【００３８】
風力エネルギ設備１０のタワー１４は、張り綱装置２４によって張り綱支持されている。張り綱装置２４は、制御可能にテンショニング状態にすることが可能なテンショニング手段２６，２８を備え、非被応力状態から、風力エネルギ設備１０を安定化させる被応力状態へと、必要に応じて自動的に状態変化可能に構成してある。
これにより、風力エネルギ設備１０が必要な時にのみ、テンショニング手段２６，２８により張り綱支持状態となる。張り綱装置２４は、非被応力状態から被応力状態へと自動的に状態変化するため、例えば現在の風条件から、風力エネルギ設備１０の安定化が必要とされる時にのみ起動される。
張り綱装置２４は、非起動時は非被応力状態とされる。このとき、風力エネルギ設備１０に荷重を与える張り綱に依存する力が、風力エネルギ設備１０に導入されることがない。これにより、張り綱によって荷重を受ける風力エネルギ設備１０の構成要素に対する疲労が効果的に低減される。
【００３９】
張り綱装置２４は、現在の風条件および／又は特にストーム突風等の将来予期される風条件に応じて、および／又は、現在の地面移動および／又は予想される地面運動、特に地震、に応じて、非被応力状態から被応力状態へと状態変化される。
これにより、突風や地面の移動、特に、比較的小さな地震、などの外的影響に対して安定化されている。
【００４０】
テンショニング手段２６，２８は、ケーブル・チェーン等から構成される。そして、テンショニング手段２６，２８は、その一端部において、風力エネルギ設備１０のタワー１４および／又はナセル１６に接続されている。
また、テンショニング手段２６，２８は、タワー１４および／又はナセル１６の反対側の端部において、地中に、直接的又は間接的に、固定又は固定可能である。
【００４１】
本実施形態では、張り綱装置２４は、三つの上方テンショニング手段２８と、更に、三つの下方テンショニング手段２６とを備え、これらテンショニング手段そのそれぞれの端部が、風力エネルギ設備１０のタワー１４に接続されている。この側面視では、これらテンショニング手段２６，２８の内の四つのテンショニング手段のみが見える。これらテンショニング手段２６，２８の全てはケーブルとして構成されている。
【００４２】
上方テンショニング手段２８は、前記タワー１４の上方三分の一の部分に接続されている。そして、これらは、それらの取付ポイント２９から斜め下方に延出し、張り綱装置２４の固定装置３０のところでタワー１４の間近で終端している。
【００４３】
固定装置３０は、図示されていない固定用土台によって地面１２に固定されている。
【００４４】
下方テンショニング手段２６は、前記タワー１４の下側半分部分に固定されている。これらのテンショニング手段も同様に、それらの取付ポイント３２から斜め下方に、張り綱装置２４の固定装置３０まで延出している。
【００４５】
張り綱装置２４は、それによってテンショニング手段２６，２８を被応力状態にすることが可能なモータ、特に電気モータ・油圧又は空気圧モータを備える。本実施形態では、張り綱装置２４の固定装置３０は、駆動装置、具体的には電気モータを備えており、これらの駆動装置によって、テンショニング手段２６，２８を、図示されていないケーブルウィンチによって、図示されていない非被応力状態から、図１に図示されている被応力状態へと自動的に状態変化させることができる。この目的のために、テンショニング手段２６，２８は、それぞれ、それ自身、公知の方法で、ケーブルウィンチによって、適当なケーブルウィンチドラム上に巻きつけられている。
テンショニング手段２６，２８を非被応力状態に戻すには、これらテンショニング手段２６，２８をケーブルウィンチドラムから巻き戻すことができる。非被応力状態において、テンショニング手段２６，２８、即ちケーブルは、タワー１４の近傍にルースに垂れ下がり、地面１２上に位置する。
【００４６】
張り綱装置２４は、風条件および／又は地面移動を特徴付ける特徴値が所定の限界値を超えた時に、非被応力状態から被応力状態へと状態変化される。限界値を設定することにより、張り網装置２４が、非被応力状態から被応力状態へ状態変化する際の閾値を規定することができるため、風力エネルギ設備１０の設置場所に応じて、適切なタイミングで当該状態変化を行うことができる。
【００４７】
風力エネルギ設備１０のロータ１８は、張り綱装置２４が非被応力状態から被応力状態に状態変化される前に、ロータブレード２２に対する風の入射角の適当な変動、および／又は、機械的ロータブレーキの作動、によって制動される。
これにより、張り綱装置２４が被応力状態となる前にロータブレード２２が制動されるので、テンショニング手段２６，２８を、なんら障害無く、ロータブレード２２の回転から生じるテンショニング手段２６，２８とロータブレード２２との間の衝突を未然に防止できる状態で、被応力状態にすることができる。これにより、特に、被応力状態において風力エネルギ設備１０のタワー１４の高い位置から斜め下方に延出するケーブルが、回転するロータブレード２２に衝突すること無しに、テンショニング手段を取り付けることが可能となる。
【００４８】
張り綱装置２４は、現在記録されている風条件および／又は地面移動および／又は将来予測される類似の事象に応じて、風力エネルギ設備１０と連動する開ループ/閉ループ制御装置によって制御することができる。
これにより、開ループ/閉ループ制御装置によって制御される張り綱装置２４によって、テンショニング手段２６，２８は、前記風条件および／又は地面移動の結果として必要な時に、被応力状態とされる。
【００４９】
テンショニング手段２６，２８は、風条件および／又は地面移動に応じて必要な時に、対応の方法で自動的に被応力状態とされる。
【００５０】
具体的には、張り綱装置２４は、開ループ/閉ループ制御装置へ、風および／又は地面移動を予想する機関から、直接的又は間接的に、風力エネルギ設備１０に連動する制御装置へ送信される起動信号に応じて、非被応力状態から被応力状態へと状態変化される。
例えば、重大なストームおよび／又は地震が予想する機関によって一旦予想された場合、張り綱装置を、非被応力状態から被応力状態に状態変化させることができる。
この場合、前記予想をした機関は、適当な信号発生装置から、風力エネルギ設備１０の制御装置に、例えば無線信号などの電磁信号やインターネットなどを介して送信することが可能な起動信号を送信する。その後、当該制御装置は、この起動信号に応じて、張り綱装置２４への応力付与を開始することができる。
【００５１】
これに代えて、又は、これに追加して、風力エネルギ設備１０の物理的近傍における風条件および／又は地面移動を、適当なセンサ、特に、風力エネルギ設備１０の風に面する側に設けられたセンサ、によって記録することできる。風条件を、風力エネルギ設備１０の運転パラメータ、例えば、ロータ１８の回転速度、ロータブレード２２の風入射角等、から導くことも可能である。
このようにして測定された風条件および／又は地面移動に応じて、張り綱装置２４を、非被応力状態から被応力状態へと適切に状態変化させることができる。
【００５２】
張り綱装置２４は、現在の風条件および／又は将来予期される風条件に応じて、および／又は、現在の地面移動および／又は予想される地面運動に応じて、所定時間経過後、非被応力状態に戻される。
従って、風力エネルギ設備１０に対してそれ以上の荷重が予想されない時、又は、現在測定されていない時、風力エネルギ設備１０を張り綱２４によって発生する荷重から開放することができる。
【００５３】
尚、特許請求の範囲の項に図面との対照を便利にするために符号を記すが、該記入により本発明は添付図面の構造に限定されるものではない。
【産業上の利用可能性】
【００５４】
本発明は、風によって駆動可能なロータと、少なくとも１つのロータブレードと、ロータの機械エネルギを電気エネルギに変換する発電機と、ロータが取り付けられるタワー、とを有する風力エネルギ設備および運転方法に利用できる。
【図面の簡単な説明】
【００５５】
【図１】張り綱装置を備える、本発明による風力エネルギ設備の略側面図
【符号の説明】
【００５６】
１０    風力エネルギ設備
１２    地面
１４    タワー
１６    ナセル
１８    ロータ
２０    ハブ
２２    ロータブレード
２４    ロータブレード根元
２６    下方テンショニング手段
２８    上方テンショニング手段
２９    取付ポイント
３０    固定装置
３２    取付ポイント
【図１】
2008014297.tif 000003